(57)【要約】      （修正有）【課題】靴を履くときに靴下を靴に固定して、靴下がずれることを防止することができるずれ防止機能付き靴下を含む靴を提供する。【解決手段】インナーに靴下２０を含む靴１０であって、前記靴下２０は、踵部分の上部に靴取付部を有し、前記靴１０は、踵部分の背面に靴下固定部を有し、前記靴取付部を前記靴下固定部に固定する。前記靴下固定部は、オスホック、面ファスナ、ボタン又は略円柱形の凸部を用いることができる。【選択図】図１
0003203016.tif 000002
【実用新案登録請求の範囲】
【請求項１】
インナーに靴下を含む靴であって、
前記靴下は、踵部分の上部に靴取付部を有し、
前記靴は、踵部分の背面に靴下固定部を有し、
前記靴取付部を前記靴下固定部に固定する、
ことを特徴とするずれ防止機能付き靴下を含む靴。
【請求項２】
前記靴取付部は、メスホック、面ファスナ又は略円形の開口であり、
前記靴下固定部は、オスホック、面ファスナ、ボタン又は略円柱形の凸部である、
ことを特徴とする請求項１に記載のずれ防止機能付き靴下を含む靴。
【請求項３】
前記靴取付部は、環状にした紐部材であり、
前記靴下固定部は、ボタン又は略円柱形の凸部である、
ことを特徴とする請求項１に記載のずれ防止機能付き靴下を含む靴。
【考案の詳細な説明】
【技術分野】
【０００１】
本考案は、インナー靴下が使用時にずれるのを防止するために、ずれ防止機能を設けた靴下を含む靴に関する。
【背景技術】
【０００２】
靴を履いた時に靴に隠れるように、指先から踵部分までの靴下（インナー靴下）が知られている。
特許文献１には、非弾性の表糸と弾性の裏糸とを添え編み組織として編成する脱げ止め機能付きの靴下であって、踵部における左右のゴアラインの間で、１または数コース毎に、非弾性の表糸を弾性の表糸に切り替え、弾性の表糸と弾性の裏糸との編成部分の弾力を非弾性の表糸と弾性の裏糸との編成部分の弾力よりも強くし、弾性の表糸と弾性の裏糸との編成部分を強い弾力により内側に縮ませて、脱げ止め用の内向き凸部および脱げ止め用の外向き凸部をコース方向に並べて形成する技術を開示している。
特許文献２には、靴下の開口部に口ゴムを設けないでゆったり感を持たせて着用中の血行障害および脱いだ後に跡形が残ることを解消するとともに、着用時においてずれること
を抑制するために、開口部から踵部までを構成する環状のボディ部と、ボディ部と一体に編成され、踵部から爪先部までを構成する環状のフット部とから編成され、開口部に口ゴムを備えず、開口部とボディ部とフット部とに、他の部分を構成する編み糸よりも強い弾性力を備えた編み糸により編成された細幅の環状締め付け部を備える技術を開示している。
【先行技術文献】
【特許文献】
【０００３】
【特許文献１】特開２０１５−１４８０２０号公報
【特許文献２】特開２０１４−４７４３５号公報
【考案の概要】
【考案が解決しようとする課題】
【０００４】
しかしながら、特許文献１及び特許文献２に開示されている技術では、靴の中で靴下がずれる場合がある。また、特許文献１及び特許文献２に開示されている技術では、特にインナー靴下（指先から踵部分までの靴下）のときに、靴の中で靴下がずれる場合がある。
【０００５】
本考案は、インナーに靴下を含む靴であって、靴を履くときに靴下を靴に固定して、靴下がずれることを防止するずれ防止機能付き靴下を含む靴を提供することを目的とする。
【課題を解決するための手段】
【０００６】
上記課題を解決するために、本考案の一つの実施形態は、インナーに靴下を含む靴であって、前記靴下は、踵部分の上部に靴取付部を有し、前記靴は、踵部分の背面に靴下固定部を有し、前記靴取付部を前記靴下固定部に固定する、ことを特徴とするずれ防止機能付き靴下を含む靴を提供する。
【０００７】
本考案の他の実施形態は、上記のずれ防止機能付き靴下を含む靴であって、前記靴取付部は、メスホック、面ファスナ又は略円形の開口であり、前記靴下固定部は、オスホック、面ファスナ、ボタン又は略円柱形の凸部である、ことを特徴とするずれ防止機能付き靴下を含む靴であってもよい。
【０００８】
本考案の他の実施形態は、上記のずれ防止機能付き靴下を含む靴であって、前記靴取付部は、環状にした紐部材であり、前記靴下固定部は、ボタン又は略円柱形の凸部である、ことを特徴とするずれ防止機能付き靴下を含む靴であってもよい。
【考案の効果】
【０００９】
本考案に係るずれ防止機能付き靴下を含む靴によれば、靴を履くときに靴下を靴に固定することができるので、靴下がずれることを防止することができる。
【図面の簡単な説明】
【００１０】
【図１】本考案の実施形態に係るずれ防止機能付き靴下を含む靴の使用例を説明する説明図（側面図）である。
【図２】本考案の実施形態に係るずれ防止機能付き靴下を含む靴の使用例を説明する説明図（背面図）である。
【図３】本考案の実施形態に係る靴の一例を示す側面図である。
【図４】本考案の実施形態に係る靴の一例を示す背面図である。
【図５】本考案の実施形態に係る靴下の一例（開口部）を説明する説明図である。
【図６】本考案の実施形態に係る靴下の一例（ボタン）を説明する説明図である。
【図７】本考案の実施形態に係る靴下の一例（環状紐部材）を説明する説明図である。
【考案を実施するための形態】
【００１１】
実施形態に係るずれ防止機能付き靴下を含む靴の例を用いて、本考案を説明する。なお、本考案は、以後に説明するずれ防止機能付き靴下を含む靴以外でも、靴を履いた時に靴に隠れるものであって指先から踵部分までのインナー靴下（以下「靴下」という。）を靴に固定するものであれば、いずれのものにも用いることができる。なお、靴下および靴の素材、色、形状は、特に限定されない。靴下および靴の素材、色、形状は、例えば使用者（消費者）の趣味趣向に合わせた材質、柄や形状のものであってもよい。
【００１２】
以後に、本考案を説明する。
【００１３】
図１乃至図７を用いて、本考案の実施形態に係るずれ防止機能付き靴下を含む靴の構成を説明する。ここで、図１は、本考案の実施形態に係るずれ防止機能付き靴下を含む靴の使用例を説明する説明図（側面図）である。図２は、本考案の実施形態に係るずれ防止機能付き靴下を含む靴の使用例を説明する説明図（背面図）である。図３は、本考案の実施形態に係る靴の一例を示す側面図である。図４は、本考案の実施形態に係る靴の一例を示す背面図である。図５は、本考案の実施形態に係る靴下の一例（開口部）を説明する説明図である。図６は、本考案の実施形態に係る靴下の一例（ボタン）を説明する説明図である。図７は、本考案の実施形態に係る靴下の一例（環状紐部材）を説明する説明図である。
【００１４】
なお、図１等に示すずれ防止機能付き靴下を含む靴の構成等は一例であり、本考案は図１等に示すずれ防止機能付き靴下を含む靴等に限定されるものではない。
【００１５】
図１及び図２に示すように、本考案に係るずれ防止機能付き靴下を含む靴は、インナーに靴下２０を含む靴１０であって、足１００から靴下２０がずれることを防止する機能を有する。すなわち、本考案に係るずれ防止機能付き靴下を含む靴は、靴下２０の踵部分の上部の靴取付部（後述する図５の２１Ａ、図６の２１Ｂ又は図７の２１Ｃ）を靴１０の踵部分の背面の靴下固定部（後述する図２及び図３の１１）に固定する。これにより、本考案に係るずれ防止機能付き靴下を含む靴は、足１００から靴下２０がずれることを防止することができる。
【００１６】
図３及び図４に示すように、本考案に係る靴１０は、踵部分の背面に靴下固定部１１を有する。靴下固定部１１は、オスホック、面ファスナ、ボタン又は略円柱形の凸部を用いることができる。なお、靴下固定部１１は、靴下２０（靴取付部）を固定できるものであれば、いずれのものも用いることができる。また、靴下固定部１１の形状及び取り付け位置は、実験、計算などで予め定められる形状及び位置とすることができる。
【００１７】
図５に示すように、本考案に係る靴下２０Ａ（２０）は、踵部分の上部に靴取付部２１Ａを有する。ここで、靴取付部２１Ａは、略円形の開口を用いることができる。これにより、靴下２０Ａ（２０）は、踵部分の背面に靴下固定部１１（図３及び図４）のボタン又は略円柱形の凸部に靴取付部２１Ａを取り付けることができ、靴に靴下を固定することができる。なお、靴取付部２１Ａの形状及び取り付け位置は、実験、計算などで予め定められる形状及び位置とすることができる。
【００１８】
図６に示すように、本考案に係る靴下２０Ｂ（２０）は、踵部分の上部に靴取付部２１Ｂを有する。ここで、靴取付部２１Ｂは、オスホック又は面ファスナを用いることができる。これにより、靴下２０Ｂ（２０）は、踵部分の背面に靴下固定部１１（図３及び図４）のメスホック又は面ファスナに靴取付部２１Ｂを取り付けることができ、靴に靴下を固定することができる。なお、靴取付部２１Ｂの形状及び取り付け位置は、実験、計算などで予め定められる形状及び位置とすることができる。
【００１９】
図７に示すように、本考案に係る靴下２０Ｃ（２０）は、踵部分の上部に靴取付部２１Ｃを有する。ここで、靴取付部２１Ｃは、環状にした紐部材または伸縮可能な紐部材を用いることができる。これにより、靴下２０Ｃ（２０）は、踵部分の背面に靴下固定部１１（図３及び図４）のボタン又は略円柱形の凸部に靴取付部２１Ｃを取り付けることができ、靴に靴下を固定することができる。なお、靴取付部２１Ｃの形状及び取り付け位置は、実験、計算などで予め定められる形状及び位置とすることができる。
【００２０】
以上のとおり、本考案に係るずれ防止機能付き靴下を含む靴によれば、靴の踵部分の靴下固定部に靴下の靴取付部を取り付けることができ、靴に靴下を固定することができるので、靴下がずれることを防止することができる。また、本考案に係るずれ防止機能付き靴下を含む靴によれば、特にインナー靴下（指先から踵部分までの靴下）のときに、靴と靴下を簡単に固定させたり外したりできるため靴に靴下を容易に固定することができ、且つ、靴の中で靴下がずれることを防止することができる。
【００２１】
また、本考案に係るずれ防止機能付き靴下を含む靴によれば、ファッション的にも発展性があり、かつ、高度な技術を必要とせず、安価に製造することができる。更に、本考案に係るずれ防止機能付き靴下を含む靴によれば、ファッション性を犠牲にすることなく、かつ、靴を履いた時に靴下がずれたり脱げたりすることを防止することができる。本考案に係るずれ防止機能付き靴下を含む靴によれば、例えば固定させる部分が目立たないし、その部分を靴と靴下の個性として表現することで斬新なデザインとすることができる。
【００２２】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２３】
１０  ：  靴
１１  ：  靴下固定部
２０，２０Ａ，２０Ｂ，２０Ｃ  ：  靴下
２１Ａ，２１Ｂ，２１Ｃ  ：  靴取付部
１００  ：  足
【図１】
0003203016.tif 000003
【図２】
0003203016.tif 000004
【図３】
0003203016.tif 000005
【図４】
0003203016.tif 000006
【図５】
0003203016.tif 000007
【図６】
0003203016.tif 000008
【図７】
0003203016.tif 000009